(57)【要約】【課題】  採石残廃土やダム堆砂等のように、有害物質を含まず有機質成分に富んだ泥土を微生物を用いて堆肥化することにより、大量の泥土を効率的に処理すると共に、処理結果物を有効に利用することができる泥土堆肥化方法を提供する。【解決手段】  水との混合状態にある泥土に対して凝集剤を添加することにより該泥土をブロック状固形物とする固化工程と、前記ブロック状固形物を粉砕することにより泥土粉砕物とする粉砕工程と、前記泥土粉砕物とアープ・トーマス・オルガ菌とを混合することにより該泥土粉砕物を堆肥化する堆肥化工程とを有することを特徴とする泥土堆肥化方法。【選択図】  なし【特許請求の範囲】
【請求項１】
水との混合状態にある泥土に対して凝集剤を添加することにより該泥土をブロック状固形物とする固化工程と、
前記ブロック状固形物を粉砕することにより泥土粉砕物とする粉砕工程と、
前記泥土粉砕物とアープ・トーマス・オルガ菌とを混合することにより該泥土粉砕物を堆肥化する堆肥化工程とを有することを特徴とする
泥土堆肥化方法。
【請求項２】
前記凝集剤が、ポリ塩化アルミニウム、ポリシリカ鉄、ポリ硫酸アルミニウム、塩化第二鉄、ポリ硫酸第二鉄を含む群から選択されることを特徴とする請求項１に記載の泥土堆肥化方法。
【請求項３】
前記泥土が、採石残廃土またはダム堆砂に由来することを特徴とする請求項１または２に記載の泥土堆肥化方法。
【発明の詳細な説明】
【技術分野】
【０００１】
本発明は、採石残廃土またはダム堆砂等により発生するヘドロ状泥土の処理方法に関し、特にこれらの泥土を微生物を用いて堆肥化処理する方法に関する。
【背景技術】
【０００２】
近年、採石場における残廃土や、ダム湖沼の堆砂が大量に発生し、その処理が問題となっている。これらのヘドロ状の泥土は、水を多量に含む上に粒子がと極めて細かい（例えば、平均粒径が数μm以下）ために通常の沈殿、濾過の物理的方法のみでは分離すなわち脱水及び乾燥が困難である。そのため、凝集剤を添加することにより懸濁している微粒子を凝集させ沈降を促進させることが行われている。凝集剤としては、例えば、特許文献１及び２等に記載のポリ塩化アルミニウムがよく知られている。凝集剤により固化した泥土は、産業廃棄物として処理されていた。
【特許文献１】特開平６−１８２３５３号公報
【特許文献２】特開平１０−２４５２２０号公報
【特許文献３】米国特許第１９３８６４７号公報
【発明の開示】
【発明が解決しようとする課題】
【０００３】
しかしながら、環境問題が深刻化しており、ヘドロには、河川下流域や沿岸域における堆積物のように有害な重金属、ダイオキシン、ＰＣＢ等を含むものも多いため、ヘドロ固化物を産業廃棄物として処理することも困難となってきている。
【０００４】
一方、山中の採石場の残廃土や河川上流に位置するダム湖沼等の堆砂に由来する泥土には、上記のような有害物は含まれず、周囲の山林やダムや湖沼の上流から運ばれてくる植物（落葉や枯死物等）に由来するものが豊富であり、有機質成分を多く含んでいる。
【０００５】
本発明は、採石残廃土やダム堆砂等のように、有害物質を含まず有機質成分に富んだ泥土を微生物を用いて堆肥化することにより、大量の泥土を効率的に処理すると共に、処理結果物を有効に利用することができる泥土堆肥化方法を提供することを目的とする。
【課題を解決するための手段】
【０００６】
上記の目的を達成すべく、本発明は、以下の構成を提供する。
（１）請求項１に記載の泥土堆肥化方法は、水との混合状態にある泥土に対して凝集剤を添加することにより該泥土をブロック状固形物とする固化工程と、前記ブロック状固形物を粉砕することにより泥土粉砕物とする粉砕工程と、前記泥土粉砕物とアープ・トーマス・オルガ菌とを混合することにより該泥土粉砕物を堆肥化する堆肥化工程とを有することを特徴とする。
【０００７】
（２）請求項２に記載の泥土堆肥化方法は、請求項１の方法において、前記凝集剤が、ポリ塩化アルミニウム、ポリシリカ鉄、ポリ硫酸アルミニウム、塩化第二鉄、ポリ硫酸第二鉄を含む群から選択されることを特徴とする。
【０００８】
（３）請求項３に記載の泥土堆肥化方法は、請求項１または２の方法において、前記泥土が、採石残廃土またはダム堆砂に由来することを特徴とする。
【発明の効果】
【０００９】
請求項１に記載の泥土堆肥化方法は、水分を多量に含む微粒子からなるヘドロ状の泥土に凝集剤を添加することにより迅速に沈降沈殿させ、ブロック状固形物とすることができる。得られたブロック状固形物を、微生物と混合し易いように粉砕する。泥土粉砕物とアープ・トーマス・オルガ菌とを混合した状態で所定の環境下に維持することにより、泥土に含まれている有機質成分が微生物により分解され、堆肥となる。本発明の方法により得られた堆肥は、土壌の活性化と肥沃化に極めて有効であり、土壌改良にも有機農法にも好適である。
【００１０】
特に微生物として、アープ・トーマス・オルガ菌を用いる。この菌は、１９０５年アープ・トーマス(米国)により発見され命名された「トーマスバクテリア群」に由来する好熱性菌であり、堆肥化過程における発酵熱に対して強い耐性をもつ。また、この菌は、ＰＣＢ及びダイオキシンを分解することもできる。特許文献３のアープ・トーマスによるコンポスト特許に記載されている。本発明では、植物性の有機質成分を多く含む泥土をアープ・トーマス・オルガ菌により堆肥化することにより、腐葉土すなわち腐植としての要素に加えて粘度鉱物質も含む堆肥が得られる。これを有機肥料として用いることにより、土壌の活性化と肥沃な土壌の維持が図られる。本発明により得られる堆肥は、有害成分を含まず、無悪臭で安定した肥料であり、作物にとって有効な総合的肥効化の腐植体有機肥料である。
【００１１】
請求項２に記載の方法は、請求項１において特に凝集剤が、ポリ塩化アルミニウム、ポリシリカ鉄、ポリ硫酸アルミニウム、塩化第二鉄、ポリ硫酸第二鉄を含む群から選択されることが好適である。ポリ塩化アルミニウムは、微粒子の懸濁液の凝集沈殿に広く用いられている薬剤であり、例えば、自然沈降の場合の沈降速度を１０倍程度促進する。ポリ硫酸アルミニウムもまた同様に広く用いられている。ポリシリカ鉄は、アルミニウムを含まないため人体に対して安全な凝集剤として注目されており、土壌中に元々存在する鉄とシリカを主成分とする点で農地への還元に適している。塩化第二鉄及びポリ硫酸第二鉄の鉄系凝集剤は、有機物沈殿に優れた凝集剤である。
【００１２】
請求項３に記載の方法は、請求項１または２において、泥土が採石残廃土またはダム堆砂に由来することが好適である。これらの泥土は、周囲の山林や上流から運ばれてくる植物残渣を多く含むため植物性の有機質成分に富んでおり、堆肥化に適した材料である。また、山地や上流から産出する泥土であるので、有害な重金属、ダイオキシン、ＰＣＢ等が含まれないことから、安全性が高い。従って、本発明により得られる堆肥は、有機農法用堆肥の原料として、また農地やごみ埋立地の土壌改良用、客土用としても好適である。
【００１３】
また、近年、大量に発生する採石残廃土やダム堆砂が、処理の困難な産業廃棄物として問題となっている。本発明の方法は一時に大量の処理が可能であるので、この産業廃棄物問題を解決するためにも有効である。
【発明を実施するための最良の形態】
【００１４】
以下、本発明の実施の形態について説明する。
先ず、堆肥化する原料となる泥土を回収する。泥土は、採石場の残廃土、ダムや湖沼の堆砂の浚渫物、湿地帯の泥土等から得られる。
【００１５】
次に、回収した泥土に含まれる微粒子を固化する固化工程を行う。これは、水との分離工程でもある。回収した泥土は、通常、多量の水を含む微粒子（例えば、平均粒子径が数μｍ以下）懸濁物であり、いわゆるヘドロ状である。このようなヘドロ状の泥土は、長期間放置しても容易には固化しないため、凝集剤を用いて短期間に凝集沈殿させる。例えば、水との混合状態にある泥土を適宜の貯蔵タンクに回収し、凝集剤を添加して混合し、所定期間放置する。これにより、泥土微粒子が凝集沈殿したブロック状固形物が得られる。脱水ケーキとも称される。こうして得られたブロック状固形物は、極めて堅固であって形状的に安定し、また乾燥し易いために放置しておけば容易に残留水分が除かれる。乾燥状態とすれば、保存及び運搬に好適である。
【００１６】
尚、凝集剤は、ポリ塩化アルミニウム、ポリシリカ鉄、ポリ硫酸アルミニウム、塩化第二鉄、ポリ硫酸第二鉄を含む群から選択されることが好適である。これらの群から複数を組み合わせてもよい。
【００１７】
続いて、ブロック状固形物を粉砕する粉砕工程を行う。適宜の粉砕機を用いて行うことができる。粉砕は、後の工程における微粒子との混合を良好に行うためである。粉砕の程度により、後の工程における堆肥化速度にも影響するため、適宜設定する。こうして泥土粉砕物が得られる。
【００１８】
最後に、泥土粉砕物とアープ・トーマス・オルガ菌とを混合することにより泥土粉砕物を堆肥化する堆肥化工程を行う。適宜の発酵タンク内で行うことができる。通常、堆肥化材料は、微生物の機能を妨げないよう水分を極力除去してから微生物を添加するが、本発明の泥土粉砕物は、上述の工程の通り、水分をほとんど含まない状態とすることができるので好適である。また、乾燥しすぎている場合であっても、水分を補給することは容易である。堆肥化工程においては、泥土粉砕物とアープ・トーマス・オルガ菌に加えて、適宜量のバーク堆肥、畜糞、木片等を混合してもよい。これらは、堆肥化反応を促進するための調整用に用いる。こうして、泥土中の有機質成分が菌により分解され、腐植要素と粘度鉱物質を含んだ堆肥が得られる。